(57)【要約】      （修正有）【課題】室温および床温をそれぞれ個別且つ独立に制御可能な複数の体感室を備えると共に、体感室の外側に冷却室を備えたことにより、各体感室ごとの室温および床温と、冷却室の室温という多数の調節手段を有し、室内環境に対する再現性の高い装置が得る。【解決手段】室温および床温をそれぞれ個別且つ独立に制御可能な複数の体感室２〜５を備えると共に、複数の体感室２〜５の外側に冷却室１４，１５を備える。前期複数の体感室が、一般住宅用体感室列と高気密断熱住宅用体感室列とを備え、一般住宅用体感室列と高気密断熱住宅用体感室列との互いに隣接していない側面部分に対し、２つの冷却室をそれぞれ隣接設置した。【選択図】図１
2007256550.tif 000002
【特許請求の範囲】
【請求項１】
室温および床温をそれぞれ個別且つ独立に制御可能な複数の体感室を備えると共に、該複数の体感室の外側に冷却室を備えたことを特徴とする温熱環境体感装置。
【請求項２】
前記複数の体感室が、一般住宅の居室および非居室のそれぞれの温熱環境を再現可能な少なくとも２つの体感室を直列に連接してなる一般住宅用体感室列と、
高気密断熱住宅の居室および非居室のそれぞれの温熱環境を再現可能な少なくとも２つの体感室を直列に連接してなる高気密断熱住宅用体感室列とを備えると共に、
一般住宅用体感室列と高気密断熱住宅用体感室列との間に、温度緩衝室を接続したことを特徴とする請求項１記載の温熱環境体感装置。
【請求項３】
一般住宅用体感室列と高気密断熱住宅用体感室列とを並列状態で隣接配置すると共に、一般住宅用体感室列と高気密断熱住宅用体感室列との対応する両端面間に２つの温度緩衝室をそれぞれ連結してループ状の巡回経路を構成し、
一般住宅用体感室列と高気密断熱住宅用体感室列との互いに隣接していない側面部分に対し、２つの冷却室をそれぞれ隣接設置したことを特徴とする請求項２記載の温熱環境体感装置。
【発明の詳細な説明】
【技術分野】
【０００１】
この発明は、温熱環境体感装置に関するものである。
【背景技術】
【０００２】
住宅の断熱性能を比較体験できるようにした装置として、断熱性能の異なる２つの部分を有する１つの空調室の両端面部分に、冬期の外気温度に冷却された２つの冷却室をそれぞれ設置したものがある（例えば、特許文献１参照）。なお、上記空調室には、室温を快適に調整するためのエアコンが１台設けられている。
【特許文献１】特開２００５−２０８１１４号公報
【発明の開示】
【発明が解決しようとする課題】
【０００３】
しかしながら、上記特許文献１に記載された温熱環境体感装置では、以下のような問題があった。
【０００４】
即ち、上記の断熱性能比較体験装置では、冷却室の温度と、空調室の室温との２系統の調節手段しか備えていなかったため、室内環境に対する再現性が低かった。そのため、床温などを実際の冬期の室内環境と同じに再現することが難しかった。なお、「床温」は、室内環境を体感する上で非常に重要な要素とされている。また、例えば、早朝や夜間など、時間帯や外気温に応じたきめ細かい室内環境を素速く正確に再現することができなかった。そして、室内環境は、住宅の実際の断熱性、気密性、設計プラン、設備などの条件によっても大きく変化するが、このような実際の住宅の条件に応じたきめ細かい室内環境を素速く正確に再現することができなかった。更に、住宅の室内環境は、居室や非居室などその部屋の使用状態によっても変化するが、このような使用状態の違いを再現することもできなかった。
【課題を解決するための手段】
【０００５】
上記課題を解決するために、請求項１に記載された発明では、室温および床温をそれぞれ個別且つ独立に制御可能な複数の体感室を備えると共に、該複数の体感室の外側に冷却室を備えた温熱環境体感装置を特徴としている。
【０００６】
請求項２に記載された発明では、前記複数の体感室が、一般住宅の居室および非居室のそれぞれの温熱環境を再現可能な少なくとも２つの体感室を直列に連接してなる一般住宅用体感室列と、高気密断熱住宅の居室および非居室のそれぞれの温熱環境を再現可能な少なくとも２つの体感室を直列に連接してなる高気密断熱住宅用体感室列とを備えると共に、一般住宅用体感室列と高気密断熱住宅用体感室列との間に、温度緩衝室を接続した請求項１記載の温熱環境体感装置を特徴としている。
【０００７】
請求項３に記載された発明では、一般住宅用体感室列と高気密断熱住宅用体感室列とを並列状態で隣接配置すると共に、一般住宅用体感室列と高気密断熱住宅用体感室列との対応する両端面間に２つの温度緩衝室をそれぞれ連結してループ状の巡回経路を構成し、一般住宅用体感室列と高気密断熱住宅用体感室列との互いに隣接していない側面部分に対し、２つの冷却室をそれぞれ隣接設置した請求項２記載の温熱環境体感装置を特徴としている。
【発明の効果】
【０００８】
請求項１の発明によれば、室温および床温をそれぞれ個別且つ独立に制御可能な複数の体感室を備えると共に、該複数の体感室の外側に冷却室を備えたことにより、各体感室ごとの室温および床温と、冷却室の室温という多数の調節手段を有しているので、室内環境に対する再現性の高い装置が得られる。これにより、床温などを含めた実際の冬期の室内環境を容易に再現することが可能となるばかりでなく、少なくとも日本の住宅で起こり得る全ての室内環境を再現することが可能となる。よって、早朝や夜間など、時間帯や外気温に応じたきめ細かい室内環境を素速く正確に再現し実際に体感させることができる。また、室内環境は、住宅の実際の断熱性、気密性、設計プラン、設備などの条件によっても大きく変化するが、このような実際の住宅の条件に応じたきめ細かい室内環境を素速く正確に再現し体感させることができる。なお、この実際の住宅の条件に応じた室内環境は、住宅の温熱シミュレーションを行うことにより容易に解析することができる。そして、住宅の室内環境は、居室や非居室などその部屋の使用状態によっても変化するが、このような使用状態の違いをも再現し実際に体感させることができる。
【０００９】
請求項２の発明によれば、前記複数の体感室が、一般住宅の居室および非居室のそれぞれの温熱環境を再現可能な少なくとも２つの体感室を直列に連接してなる一般住宅用体感室列と、高気密断熱住宅の居室および非居室のそれぞれの温熱環境を再現可能な少なくとも２つの体感室を直列に連接してなる高気密断熱住宅用体感室列とを備えたことにより、一般住宅用体感室列を通るだけで、一般住宅の居室および非居室のそれぞれの温熱環境を体感することが可能となると共に、高気密断熱住宅用体感室列を通るだけで高気密断熱住宅の居室および非居室のそれぞれの温熱環境を体感することが可能となる。また、一般住宅用体感室列と高気密断熱住宅用体感室列との間に、温度緩衝室を接続したことにより公正を期した体感実験を行うことができる。
【００１０】
請求項３の発明によれば、一般住宅用体感室列と高気密断熱住宅用体感室列とを並列状態で隣接配置すると共に、一般住宅用体感室列と高気密断熱住宅用体感室列との対応する両端面間に２つの温度緩衝室をそれぞれ連結してループ状の巡回経路を構成し、一般住宅用体感室列と高気密断熱住宅用体感室列との互いに隣接していない側面部分に対し、２つの冷却室をそれぞれ隣接設置したことにより、装置全体の構成を極めて合理的且つコンパクトにまとめて、住宅展示場などに対しても容易に設置できるようにすることができる。また、ループ状の巡回経路を一周するだけで用意された全ての温熱環境を素速く体感することができるので、使い勝手の良い装置とすることができる。
【発明を実施するための最良の形態】
【００１１】
室内の温熱環境に対する高い再現性が得られるようにするという目的を、室温および床温をそれぞれ個別且つ独立に制御可能な複数の体感室を備えると共に、複数の体感室の外側に冷却室を備える、という手段で実現した。
【実施例】
【００１２】
以下、本発明を具体化した実施例について、図示例と共に説明する。
【００１３】
図１、図２は、この発明の実施例を示すものである。
【００１４】
まず、構成について説明すると、この実施例の温熱環境体感装置１では、室温および床温をそれぞれ個別且つ独立に制御可能な複数の体感室２〜５を備えている。この体感室２〜５は、この例の場合には、４部屋設けられている。そして、各体感室２〜５ごとに、独立の空調機６〜９と、独立の床温調節機１０〜１３とをそれぞれ個別に備えている。各空調機６〜９および床温調節機１０〜１３には、それぞれ個別にコントローラ６ａ〜１３ａが用意されている。
【００１５】
また、複数の体感室２〜５の外側に冷却室１４，１５を備えている。この冷却室１４，１５は、この例の場合には、２部屋設けられている。そして、この冷却室１４，１５は、冷凍機１６を備えている。この冷凍機１６は、個別に設けても良いが、この場合には、共通のものとされている。そのために、冷凍機１６から各冷却室１４，１５へ冷気を送給するダクト１７，１８が設けられている。この冷凍機１６には、コントローラ１６ａが用意されている。
【００１６】
このような構成において、更に、上記複数の体感室２〜５が、一般住宅の居室および非居室のそれぞれの温熱環境を再現可能な少なくとも２つの体感室２，３を直列に連接してなる一般住宅用体感室列２１と、高気密断熱住宅の居室および非居室のそれぞれの温熱環境を再現可能な少なくとも２つの体感室４，５を直列に連接してなる高気密断熱住宅用体感室列２２とを備えたものとなるような構成とする。
【００１７】
更に、一般住宅用体感室列２１と高気密断熱住宅用体感室列２２との間に、温度緩衝室２３，２４を接続する。
【００１８】
上記構成において、特に、一般住宅用体感室列２１と高気密断熱住宅用体感室列２２とを並列状態で隣接配置すると共に、一般住宅用体感室列２１と高気密断熱住宅用体感室列２２との対応する両端面間に２つの温度緩衝室２３，２４をそれぞれ連結してループ状の巡回経路が構成されるようにする。
【００１９】
更に、一般住宅用体感室列２１と高気密断熱住宅用体感室列２２との互いに隣接していない側面部分に対し、２つの冷却室１４，１５がそれぞれ隣接設置させるようにする。
【００２０】
このような構成により、温熱環境体感装置１は、４つの体感室２〜５が「田」字状に配設されると共に、その両端面間に、２つの体感室２，５間および体感室３，４間に亘る細長い２つの温度緩衝室２３，２４がそれぞれ設置され、その両側面部分に、２つの体感室２，３間および体感室４，５間に亘る細長い２つの冷却室１４，１５がそれぞれ設置された、全体として平面視ほぼ「十」字状のものとなる。なお、２つの温度緩衝室２３，２４や冷却室１４，１５を適宜延長したり、或いは、入隅となったコーナー部分に物置室を作るなどして、温熱環境体感装置１全体の外形を矩形状となるように構成しても良い。
【００２１】
そして、２つの温度緩衝室２３，２４のうちの少なくともどちらか一方に対し、温熱環境体感装置１への出入口３１，３２を形成する。この場合には、出入口３１，３２は、各温度緩衝室２３，２４に対し、それぞれ設けている。
【００２２】
また、４つの体感室２〜５と２つの温度緩衝室２３，２４との間に、ループ状の巡回経路を構成するための出入口３３〜３８を形成する。
【００２３】
更に、２つの体感室２，３と対応する冷却室１４との間、および、２つの体感室４，５と対応する冷却室１５との間に、それぞれ窓３９〜４２を形成する。
【００２４】
なお、一般住宅の居室および非居室のそれぞれの温熱環境を再現可能な少なくとも２つの体感室２，３の壁や床や窓３９，４０は、一般住宅用の仕様とするのが好ましい。例えば、窓３９，４０などには通常サッシを用いるようにする。
【００２５】
また、高気密断熱住宅の居室および非居室のそれぞれの温熱環境を再現可能な少なくとも２つの体感室４，５の壁や床や窓４１，４２は、高気密断熱住宅用の仕様（高気密断熱構造）とするのが好ましい。例えば、窓４１，４２などには断熱サッシを用いるようにする。
【００２６】
更に、４つの体感室２〜５の壁に対して壁温調節機を設けるようにすることもできる。ただし、高気密断熱住宅仕様の壁の場合、特殊な壁温調節機を設けない限りは、壁温は室温と同じになるため、特に設ける必要はない。
【００２７】
また、温度緩衝室２３，２４には、特に空調機や床温調節機が設けられておらず、常温となるようにしているが、温度緩衝室２３，２４に対して空調機や床温調節機などを設けるようにすることもできる。なお、温度緩衝室２３，２４には、４つの体感室２〜５および２つの冷却室１４，１５の影響を受けないような断熱性能を付与するのが好ましい。
【００２８】
次に、この実施例の作用について説明する。
【００２９】
まず、コントローラ６ａ，１０ａで空調機６と床温調節機１０とをそれぞれ個別に操作して、体感室２の室温と床温とをそれぞれ一般住宅の居室と同じ温熱環境に調節する。また、コントローラ７ａ，１１ａで空調機７と床温調節機１１とをそれぞれ個別に操作して、体感室３の室温と床温とをそれぞれ一般住宅の非居室と同じ温熱環境に調節する。
【００３０】
同様に、コントローラ８ａ，１２ａで空調機８と床温調節機１２とをそれぞれ個別に操作して、体感室４の室温と床温とをそれぞれ高気密断熱住宅の居室と同じ温熱環境に調節する。また、コントローラ９ａ，１３ａで空調機９と床温調節機１３とをそれぞれ個別に操作して、体感室５の室温と床温とをそれぞれ高気密断熱住宅の非居室と同じ温熱環境に調節する。
【００３１】
更に、コントローラ１６ａで冷凍機１６を操作して、各冷却室１４，１５を冬期の外気温度と同じ室温に冷却する。
【００３２】
なお、温度緩衝室２３，２４は、室温が常温、例えば、１７℃程度となっている。
【００３３】
こうして準備ができたら、出入口３１から温度緩衝室２３へ入り、一定時間滞在して体を慣らした後に、一般住宅の居室および非居室のそれぞれの温熱環境を再現した体感室２、体感室３を順に通り、反対側の温度緩衝室２４へ入る。そして、反対側の温度緩衝室２４に一定時間滞在して体の感覚をリセットした後に、今度は高気密断熱住宅の居室および非居室のそれぞれの温熱環境を再現した体感室４、体感室５を順に通り、元の温度緩衝室２３へ戻る。この温熱環境体感装置１は、このように、巡回経路をぐるっと一周するような使い方がなされることを予定している。
【００３４】
この際、一般住宅の居室の温熱環境を再現するために、体感室２は、例えば、室温を２２℃とし、床温を１６℃とする。また、一般住宅の非居室の温熱環境を再現するために、体感室３は、例えば、室温を１０℃とし、床温を１０℃とする。
【００３５】
そして、高気密断熱住宅の居室の温熱環境を再現するために、体感室４は、例えば、室温を２２℃とし、床温を２４℃とする。また、高気密断熱住宅の非居室の温熱環境を再現するために、体感室５は、例えば、室温を１７〜２０℃とし、床温を１７〜２０℃とする。
【００３６】
すると、一般住宅の居室の温熱環境を再現した体感室２では、上下温度差、床の冷たさ、通常サッシからの放熱感、頭がボーッとするようなコールドドラフト感を体感することができ、次に、一般住宅の非居室の温熱環境を再現した体感室３では、上記に対して更に、床の冷たさや、非居室の寒さなどの水平温度差を体感することができる。
【００３７】
一方、高気密断熱住宅の居室の温熱環境を再現した体感室４では、床の暖かさや、上下温度差の少なさを体感することができ、次に、高気密断熱住宅の非居室の温熱環境を再現した体感室５では、上記に対して、床が冷たくないことや、非居室の暖かさなどの水平温度差の少なさを体感することができる。
【００３８】
しかも、一般住宅の温熱環境を再現した一般住宅用体感室列２１を通った後で、余り時間を置かずに高気密断熱住宅の温熱環境を再現した高気密断熱住宅用体感室列２２を通ることにより、その差を一層明確に体感させることができる。
【００３９】
なお、以上は、あくまでも温熱環境体感装置１の使い方の一例であり、その他にも、様々な設計プランに応じて各体感室２〜５の室温や床温を変えることにより、設計プランの異なる住宅の温熱環境を次々と体感して行くようなことも可能である。
【００４０】
また、時間帯の変化に応じて各体感室２〜５の室温や床温、冷却室１４，１５の室温を変えることにより、住宅の１日の温熱環境の変化を体感したり、季節の変化に応じて各体感室２〜５の室温や床温、冷却室１４，１５の室温を変えることにより、住宅の１年の温熱環境の変化を体感したり、地域の特性に応じて各体感室２〜５の室温や床温、冷却室１４，１５の室温を変えることにより、少なくとも日本中の住宅の温熱環境の違いを体感したりすることも可能である。更に、空調機６〜９や床温調節機１０〜１３などの設備を設けた住宅の温熱環境の検証などにも使うことができる。
【００４１】
このように、この実施例によれば、室温および床温をそれぞれ個別且つ独立に制御可能な複数の体感室２〜５を備えると共に、複数の体感室２〜５の外側に冷却室１４，１５を備えたことにより、各体感室２〜５ごとの室温および床温と、冷却室１４，１５の室温という多数の調節手段を有しているので、室内環境に対する再現性の高い装置が得られる。これにより、床温などを含めた実際の冬期の室内環境を容易に再現することが可能となるばかりでなく、少なくとも日本の住宅で起こり得る全ての室内環境を再現することが可能となる。よって、早朝や夜間など、時間帯や外気温に応じたきめ細かい室内環境を素速く正確に再現し実際に体感させることができる。また、室内環境は、住宅の実際の断熱性、気密性、建築プラン、設備などの条件によっても大きく変化するが、このような実際の住宅の条件に応じたきめ細かい室内環境を素速く正確に再現し体感させることができる。なお、この実際の住宅の条件に応じた室内環境は、住宅の温熱シミュレーションを行うことにより容易に解析することができる。そして、住宅の室内環境は、居室や非居室などその部屋の使用状態によっても変化するが、このような使用状態の違いをも再現し実際に体感させることができる。
【００４２】
また、複数の体感室２〜５が、一般住宅の居室および非居室のそれぞれの温熱環境を再現可能な少なくとも２つの体感室２〜５を直列に連接してなる一般住宅用体感室列２１と、高気密断熱住宅の居室および非居室のそれぞれの温熱環境を再現可能な少なくとも２つの体感室２〜５を直列に連接してなる高気密断熱住宅用体感室列２２とを備えたことにより、一般住宅用体感室列２１を通るだけで、一般住宅の居室および非居室のそれぞれの温熱環境を体感することが可能となると共に、高気密断熱住宅用体感室列２２を通るだけで高気密断熱住宅の居室および非居室のそれぞれの温熱環境を体感することが可能となる。また、一般住宅用体感室列２１と高気密断熱住宅用体感室列２２との間に、温度緩衝室２３，２４を接続したことにより、公正を期した体感実験を行うことができる。
【００４３】
更に、一般住宅用体感室列２１と高気密断熱住宅用体感室列２２とを並列状態で隣接配置すると共に、一般住宅用体感室列２１と高気密断熱住宅用体感室列２２との対応する両端面間に２つの温度緩衝室２３，２４をそれぞれ連結してループ状の巡回経路を構成し、一般住宅用体感室列２１と高気密断熱住宅用体感室列２２との互いに隣接していない側面部分に対し、２つの冷却室１４，１５をそれぞれ隣接設置したことにより、装置全体の構成を極めて合理的且つコンパクトにまとめて、住宅展示場などに対しても容易に設置できるようにすることができる。また、ループ状の巡回経路を一周するだけで用意された全ての温熱環境を素速く体感することができるので、使い勝手の良い装置とすることができる。
【００４４】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００４５】
【図１】本発明の実施例にかかる温熱環境体感装置の上部を水平方向に破断した斜視図である。
【図２】図１の平面図である。
【符号の説明】
【００４６】
１    温熱環境体感装置
２    体感室
３    体感室
４    体感室
５    体感室
１４  冷却室
１５  冷却室
２１  一般住宅用体感室列
２２  高気密断熱住宅用体感室列
２３  温度緩衝室
２４  温度緩衝室
【図１】
2007256550.tif 000003
【図２】
2007256550.tif 000004